(57)【要約】【課題】  本発明は、主として、電子機器用の長尺部品の収納、運搬に適した容器用の合成樹脂板状体および仕切板付き合成樹脂容器を提供する。【解決手段】  本発明の容器用の合成樹脂板状体は、合成樹脂板状体１の中央に平行な二条の折れ線２，２'が設けられ、この二条の折れ線の左右外側面にそれぞれ突出する複数の仕切片３，３'が、前記折れ線に向けて平行に間隔をあけて設けられており、本発明の仕切板付き合成樹脂容器は、合成樹脂板状体１の二条の折れ線２，２'を利用して、この折れ線の左右外側面Ａ、Ｂを対向状に立ち上げ、箱体に形成することを特徴とする。【選択図】  図１
2005067636.tif 000002
【特許請求の範囲】
【請求項１】
合成樹脂板状体の中央に平行な二条の折れ線が設けられ、この二条の折れ線の左右外側面にそれぞれ突出する複数の仕切片が、前記折れ線に向けて平行に間隔をあけて設けられた、容器用の合成樹脂板状体。
【請求項２】
前記二条の折れ線の左右外側面にそれぞれ突出する複数の仕切片が互いに対向して設けられ、かつ、前記二条の折れ線間上には、前記対向する仕切片を結ぶ線上に底部仕切片が突出して設けられた請求項１に記載の合成樹脂板状体。
【請求項３】
前記二条の折れ線の左右外側面にそれぞれ設けられた仕切片の上辺縁部に、左右外側面に設けられた仕切片が互いに接合できる嵌合部を設けた請求項１または請求項２に記載の合成樹脂板状体。
【請求項４】
請求項１ないし３のいずれかに記載の合成樹脂板状体の二条の折れ線を利用して、この折れ線の左右外側面を対向状に立ち上げ、箱体に形成することを特徴とする仕切板付き合成樹脂容器。
【発明の詳細な説明】
【技術分野】
【０００１】
本発明は、主として、電子機器用の長尺部品の収納、運搬に適した容器用の合成樹脂板状体および仕切板付き合成樹脂容器に関する。
【背景技術】
【０００２】
従来、例えば、携帯電話のシェル部品の運搬には、図５に示すようなダンボール紙製の底の深い箱型容器が使用されている。
このダンボール紙製の容器は、その収納部が、同じくダンボール紙製の仕切板１６によって仕切られ、この仕切られた空間に、携帯電話のシェル部品２０が組立工程に好まれる縦置きに収納運搬されている。
【発明の開示】
【発明が解決しようとする課題】
【０００３】
しかし、前記従来のダンボール紙製の容器は、紙粉が出やすく、この紙粉が静電気により前記シェル部品２０に付着したまま、組立工程に供せられて電子部品収納部に入り込み、誤作動の原因になるおそれがある。
そこで、ダンボール紙製容器に代えて、合成樹脂製の容器が検討されているが、ダンボール紙製容器と価格的に対抗するためには、金型が安価な真空、圧空、真空／圧空、プレスなどのシート二次成形による必要がある。
しかし、所定の大きさの合成樹脂シートを二次成形によって、底の深い収納部を有する容器を製造しようとすると、収納部を深絞りで成形することになり、収納部の肉厚が薄くなって、その部分の強度が低下するという問題がある。また、深絞りできる深さには限度がある。
【０００４】
したがって、本発明の課題は、シート二次成形を用いて、長尺部品を縦置きに収納できる、底の深い収納部を有する容器を組み立てることのできる容器用の合成樹脂板状体、および仕切板付き合成樹脂容器を提供することにある。
【課題を解決するための手段】
【０００５】
本発明の容器用の合成樹脂板状体は、合成樹脂板状体の中央に平行な二条の折れ線が設けられ、この二条の折れ線の左右外側面にそれぞれ突出する複数の仕切片が、前記折れ線に向けて平行に間隔をあけて設けられている。
この合成樹脂板状体は、前記二条の折れ線の左右外側面にそれぞれ突出する複数の仕切片が互いに対向して設けられ、かつ、前記二条の折れ線間上には、前記対向する仕切片を結ぶ線上に底部仕切片が突出して設けられるようにしてもよく、また、前記二条の折れ線の左右外側面にそれぞれ設けられた仕切片の上辺縁部に、左右外側面に設けられた仕切片が互いに接合できる嵌合部を設けるようにしてもよい。
【０００６】
本発明の仕切板付き合成樹脂容器は、前記した合成樹脂板状体の二条の折れ線を利用して、この折れ線の左右外側面を対向状に立ち上げて、箱体に形成する。
【発明の効果】
【０００７】
本発明によれば、シート二次成形により、底の深い収納部を有する合成樹脂容器を得ることができるので、従来のように収納した長尺物に紙粉等が付着することがなく、洗浄が容易で耐久性に優れた、安価な仕切板付き合成樹脂容器を提供できる。
【発明を実施するための最良の形態】
【０００８】
以下、本発明の実施の形態を、図に基づいて説明する。
図１は、本発明の合成樹脂板状体の一例を示す平面図であり、図２は、
図１に示す合成樹脂板状体の斜視図である。また、図３は、図１に示す合成樹脂板状体を仕切板付き合成樹脂容器にした状態の側面図であり、図４は、図１に示す合成樹脂板状体を仕切板付き合成樹脂容器にした状態の部分斜視図である。
【０００９】
図１、図２に示す、本発明の合成樹脂板状体１は、長方形であり中央に平行な二条のミシン目状に切り欠かれた折れ線２，２'が設けられている。
また、この折れ線２，２'の左右の外側面Ａ、Ｂ上には、複数の台形状の仕切片３，３'が、それぞれ一体に突出している。
これらの仕切片３，３'は、折れ線２，２'に向けて直角方向に、平行に間隔をあけて、かつ折れ線２，２'  を挟んで対向状に設けられている。
この仕切片３，３'は、本発明の合成樹脂板状体１を用いて、後述する箱体に形成した際に、収納部の仕切板となるものである。
【００１０】
折れ線２，２'  は、合成樹脂板状体１を、箱体に形成する際に、折れ線２，２'の左右の外側面Ａ、Ｂを立ち上げるために利用するものであるため、折曲が容易な構成にする必要がある。
本実施の形態では、折れ線をミシン目状に切り欠いたものを示したが、これに限定されるものではなく、折れ線を肉厚の薄い線状に形成したり、凹部を線状に形成するなど、折曲し易い形状であればどのような形状も採用できる。
【００１１】
合成樹脂板状体１上に突出した複数の台形状の仕切片３、３'のうち、両端と中間にある仕切片３，３'の上辺縁部ａ，ａ'には、嵌合部４，４' が設けられている。
この嵌合部４，４'は、一方が凹部に他方が凸部に、嵌脱自在に形成されており、折れ線２，２'の左右の外側面Ａ、Ｂを立ち上げて、嵌合部４，４'の前記凸部と凹部を嵌合することにより、仕切片３，３'の上辺縁部ａ，ａ'が互いに接合、対接されて、収納部の仕切板を構成するとともに、合成樹脂板状体１が、箱体に形成されるようになっている。
【００１２】
なお、前記嵌合部の凹凸部は、図示したものと反対に、仕切片３の嵌合部４に凸部を設け、仕切片３'の嵌合部４'に凹部を設けるようにしてもよく、対向する仕切片ごとに凹凸部を入れかえるようにしてもよい。
また、嵌合部に設ける仕切片は、図示した両端と中間にあるものに限定されるものではなく、全仕切片に設けたり、一つ置きもしくは間隔をあけて設けるようにしてもよい。
さらに、前記凹凸部からなる嵌合部４，４'は、凹凸部に限定されるものではなく、仕切片３，３'が容易に嵌脱できればどのような構造であってもよい。
また、嵌合部は、仕切片３，３'の上辺縁部ａ，ａ'に、粘着層やマジックテープ状等の構成を施して、仕切片３，３'を着脱自在な構造としてもよい。
【００１３】
本発明の合成樹脂板状体１の折れ線２，２'  間の領域Ｃは、箱体に形成した際に、容器の底面になる部分であり、この底面上には、図に示すように、仕切片３，３'と同じ幅を有する三角形状の底部仕切片５を突出状に形成させることができる。
この底部仕切片５は、外側面Ａ、Ｂを立ち上げて、台形状の仕切片３，３'の上辺縁部が対接させて仕切板を構成した際に、それらの下方に生じる三角形の空隙を充填するもので、図３、図４に示すように、仕切片３，３'と底部仕切片５の側辺が対接し、組み合わされて隙間のない仕切板６を形成するようになっている。
【００１４】
本発明の合成樹脂板状体１の折れ線２，２'  間の領域Ｃの裏面には、円筒状の支持突部７が間隔をあけて設けられている（図３、図４）。
この支持突部７，７'  は、本発明の合成樹脂板状体１を仕切板付き合成樹脂容器１１とした場合の底面を支持する部材であると同時に、仕切板６によって形成された収納部に、長尺部品を落とし込むように入れても、それによって生じる衝撃を弾力的に吸収して収納物を保護する機能を果たす。
【００１５】
また、合成樹脂板状体１の左右の外側面Ａ、Ｂの長手方向辺縁部の裏面には、該辺縁部に沿っておよび／または仕切片３，３'の間に適宜形状の段部、図示の例では、辺縁部に沿って、かつ仕切片３，３'の間に、半円状に入り込んだ突条段部８，８'  を波状に連続して設けたり、仕切片３，３'の間に、折れ線２，２'  から延びる舌辺状段部９，９'  を連続して設けるようにするとよい。
上記突条段部８，８'  および舌辺状段部９，９'  は、いずれも、仕切片３，３'および底部仕切片５とともに、薄厚な合成樹脂板状体１に剛性を与え、形成した箱体に強度を付与する役割を果たす。
【００１６】
また、合成樹脂板状体１上に、仕切板３，３'が突出成形されることにより、仕切板３，３'の裏面に形成される凹溝１０は、合成樹脂板状体１を仕切板付き合成樹脂容器１１に成形した場合に、規則的に形成された前記容器の凹溝側壁面となるため、この凹溝１０を利用した送り機構により、容器の移動が機械的に行える。
【００１７】
なお、仕切片３，３'は、本実施の態様では、折れ線２，２'に向けて直角方向に、間隔をあけて平行に設けたものを示したが、間隔をあけて平行であれば、折れ線２，２'に向けて直角方向に形成する必要はなく、用途に応じて、折れ線２，２'に向けて斜めの角度に形成するようにしてもよい。
また、図では、仕切片３，３'は、折れ線２，２'  を挟んで対向状に設けたものを示したが、交互に差し違うように形成させるように設けてもよい。
【００１８】
本発明の合成樹脂板状体に使用される合成樹脂としては、塩化ビニル樹脂、ポリスチレン、ポリプロピレン、ポリエチレン等のオレフィン系樹脂等が挙げられ、これらの樹脂シートをシート二次成形して、本発明の合成樹脂板状体を容易に作製することができる。
本発明の合成樹脂板状体１は、図では長方形に成形したものを示したが、これに限定されるものではなく、形成する箱体の形状に応じた形状に成形される。
【００１９】
本発明によれば、合成樹脂シートを用い、シート二次成形により成形した合成樹脂板状体の中央に設けた平行な二条の折れ線を境に、この折れ線の左右の外側面を対向状に立ち上げることにより、前記二条の折れ線間の領域を底面とし、前記二条の折れ線の左右外側面を容器の側壁面とし、さらにこの左右外側面に突出する仕切片を収納部の仕切板とする、底の深い収納部を有する耐久性に優れた、安価な仕切板付き合成樹脂容器を形成することができる。
【００２０】
また、本発明の仕切板付き合成樹脂容器１１は、容器の側壁面をなす左右外側面Ａ、Ｂを拡開することにより、簡単に箱体から一枚の合成樹脂板状体に戻すことができるので、洗浄が容易であり、常にクリーンな状態を保持できる。
【産業上の利用可能性】
【００２１】
本発明の合成樹脂板状体および仕切板付き合成樹脂容器は、前記例示した携帯電話のシェル部品に限らず、他の精密機器の長尺部品等の収納運搬に利用できる。
【図面の簡単な説明】
【００２２】
【図１】本発明の合成樹脂板状体の一例を示す平面図である。
【図２】図１に示す合成樹脂板状体の斜視図である。
【図３】図１に示す合成樹脂板状体を、仕切板付き合成樹脂容器にした状態の側面図である。
【図４】図１に示す合成樹脂板状体を、仕切板付き合成樹脂容器にした状態の模式的な部分斜視図である。
【図５】従来の容器の一例を示す模式的な斜視図である。
【符号の説明】
【００２３】
１  合成樹脂板状体
２、２'  折れ線
３、３'  仕切片  
４、４'  嵌合部  
５  底部仕切片
６、１６  仕切板
７、７'  支持突部
８、８'  突条段部
９、９'  舌辺状段部
１０  凹溝
１１  仕切板付き合成樹脂容器
２０  （携帯電話の）シェル部品  
Ａ  折れ線２、２'の左の外側面
Ｂ  折れ線２、２'の右の外側面
Ｃ  底面  
ａ、ａ'  仕切片の上辺縁部
【図１】
2005067636.tif 000003
【図２】
2005067636.tif 000004
【図３】
2005067636.tif 000005
【図４】
2005067636.tif 000006
【図５】
2005067636.tif 000007